(57)【要約】【課題】使用中に運転者などの使用者が臀部を動かしても、その影響で大腿部に対する疲労軽減作用が損なわれにくく、逆に、使用者が大腿部を動かしても、その影響で臀部に対する疲労軽減作用が損なわれにくく、さらに、使用者が左右の大腿部のうちの片側の大腿部を動かしても、その反対側の大腿部に対する疲労軽減作用が損なわれにくい着座クッションを提供する。【解決手段】使用者の臀部が乗せ掛けられる第１領域Ｚ１と使用者の左右の大腿部が乗せ掛けられる左右一対の第２領域Ｚ２，Ｚ２とを有して、柔軟な下地シートに積層一体化されたクッション材１０を備える。第１領域Ｚ１及び左右一対の第２領域Ｚ２，Ｚ２の相互間、及び、左右一対の第２領域Ｚ２，Ｚ２の相互間に、クッション材１０を欠除させることにより形成した隙間１２を設ける。【選択図】図１
0003221016.tif 000002
【実用新案登録請求の範囲】
【請求項１】
座席シートに敷いて使用される着座クッションであって、
使用者の臀部が乗せ掛けられる第１領域と使用者の左右の大腿部が乗せ掛けられる左右一対の第２領域とを有して、柔軟な下地シートに積層一体化されたクッション材を備えていると共に、上記第１領域及び左右一対の上記第２領域の相互間の第１境界部の全域と、左右一対の上記第２領域の相互間の第２境界部の全域とに、上記クッション材を欠除させることにより形成された隙間が設けられていることを特徴とする着座クッション。
【請求項２】
平面視が矩形又は略矩形の上記クッション材の前側左右のコーナ部のそれぞれに盗み凹所が具備されている請求項１に記載した着座クッション。
【請求項３】
上記クッション材が、通口又は凹所でなる凹み部を有する正反発性を備えたラテックスフォームでなる請求項１又は請求項２に記載した着座クッション。
【請求項４】
上記下地シートがウレタンフォームでなる請求項１ないし請求項３のいずれか１項に記載した着座クッション。
【請求項５】
上記クッション材の厚さが１５〜２９ｍｍであり、上記下地シートの厚さが５〜１５ｍｍであり、上記隙間の幅が５〜１５ｍｍである請求項３又は請求項４に記載した着座クッション。
【請求項６】
上記下地シート及び上記クッション材と、これらの下地シート及びクッション材を覆う通気性を有する柔軟なカバーと、でなる請求項１ないし請求項５のいずれか１項に記載した着座クッション。
【考案の詳細な説明】
【技術分野】
【０００１】
本考案は、着座クッション、詳しくは、座席シートなどに着席した使用者の臀部や大腿部の疲労を軽減するための対策が講じられた着座クッションに関する。
【背景技術】
【０００２】
自動車の運転を同じ姿勢で長時間し続けることによる運転者の臀部や大腿部の疲労を軽減し、ひいては腰痛を予防したり軽減したりするために、従来より、座席シートに敷いた着座クッションに運転者が着座して運転を続けるということが多々行われていた。従来のこの種の着座クッションでは、そのクッション性によって運転者の臀部や大腿部に加わる負担が軽減され、腰痛を予防したり軽減したりすることができるとされている。
【０００３】
一方、先行例として、クッション材にラテックスフォームを採用したフォームレイヤーが知られていた（たとえば、特許文献１参照）。この特許文献１によって提案されているフォームレイヤーによれば、ラテックスフォームの特性である正反発性により身体の表面で受ける圧迫が均等に分散されてストレス感などを緩和することができ、ベッドや椅子などの硬さから来るストレスや圧迫などが原因となる疲労などを防止することができるとされている。
【先行技術文献】
【特許文献】
【０００４】
【特許文献１】実用新案登録第３０７０８２４号公報
【考案の概要】
【考案が解決しようとする課題】
【０００５】
しかしながら、特許文献１によって提案されているフォームレイヤーでは、着座時に使用者の身体に作用するラテックスフォームに特有の弾力性が臀部や大腿部に加わる負担を緩和することに役立って臀部や大腿部の疲労が軽減される、という作用が発揮されるに留まっていた。このため、自動車の運転者が座席シートに上記フォームレイヤーを敷いて使用した場合、たとえば、運転者が臀部を動かすと、フォームレイヤーの変形を通じて、そのフォームレイヤーに乗せ掛けている左右の大腿部に作用するフォームレイヤーの弾力性に顕著な変化が生じたりして大腿部の疲労を軽減する作用が損なわれたり、これとは逆に、運転者が大腿部を動かすと、フォームレイヤーの変形を通じて、そのフォームレイヤーに乗せ掛けている臀部に作用するフォームレイヤーの弾力性に顕著な変化が生じたりして臀部の疲労を軽減する作用が損なわれたりするおそれがあった。
【０００６】
本考案は、以上の状況に鑑みてなされたものであり、使用中に運転者などの使用者が臀部を動かしても、その影響で大腿部に対する疲労軽減作用が損なわれにくく、これとは逆に、使用者が大腿部を動かしても、その影響で臀部に対する疲労軽減作用が損なわれにくく、さらに、使用者が左右の大腿部のうちの片側の大腿部を動かしても、その反対側の大腿部に対する疲労軽減作用が損なわれにくい着座クッションを提供することを目的とする。
【課題を解決するための手段】
【０００７】
座席シートに敷いて使用される着座クッションであって、使用者の臀部が乗せ掛けられる第１領域と使用者の左右の大腿部が乗せ掛けられる左右一対の第２領域とを有して、柔軟な下地シートに積層一体化されたクッション材を備えていると共に、上記第１領域及び左右一対の上記第２領域の相互間の第１境界部の全域と、左右一対の上記第２領域の相互間の第２境界部の全域とに、上記クッション材を欠除させることにより形成された隙間が設けられている、というものである。
【０００８】
このように構成された着座クッションによれば、クッション材の第１領域及び左右一対の第２領域の相互間の第１境界部と左右一対の第２領域の相互間の第２境界部とに設けられた隙間によって、クッション材の第１領域と左右一対の第２領域とが分割された形態になり、同様に、クッション材の左側の第２領域と右側の第２領域とが分割された形態になる。このため、第１領域が属するクッション材の変形による影響が左右一対の第２領域が属するクッション材に及びにくくなり、同様に、左側又は右側の第２領域が属するクッション材の変形による影響が反対側の第２領域が属するクッション材に及びにくくなる。したがって、当該着座クッションの使用中に使用者が臀部を動かしても、その影響で左右の大腿部に対する疲労軽減作用が損なわれるという事態が起こりにくくなり、左側又は右側の大腿部を動かしても、その影響で臀部や反対側の大腿部に対する疲労軽減作用が損なわれるという事態が起こりにくくなる。
【０００９】
本考案では、平面視が矩形又は略矩形の上記クッション材の前側左右のコーナ部のそれぞれに盗み凹所が具備されている、という構成を採用することが望ましい。この構成であれば、座席シートに敷いた当該着座クッションに使用者が横方向から乗り掛かって座るときに、クッション材の前側左右のコーナ部が、盗み凹所の作用によって引掛からなくなり、それだけ使い勝手が向上する。
【００１０】
本考案では、上記クッション材が、通口又は凹所でなる凹み部を有する正反発性を備えたラテックスフォームでなる、という構成を採用することが望ましい。この考案において、クッション材を形成しているラテックスフォームは、当該ラテックスフォームに接触する臀部や大腿部を均一に支えるという体圧分散力に優れた特有の弾力性、すなわち正反発性を有しているので、第１領域では臀部を包み込むような弾力性を発揮し、第２領域では大腿部を包み込むような弾力性を発揮して、臀部や大腿部の疲労感緩和作用を顕著に発揮する。しかも、ラテックスフォームが通口又は凹所でなる凹み部を有していることにより発揮される通気性によって多湿による不快感を生じにくくなるという利点もある。
【００１１】
本考案では、上記下地シートがウレタンフォームでなる、という構成を採用することが望ましい。ウレタンフォームは、ハードタイプ（かちっとした硬い感触）やラバータイプ（もっちりした反発力のある感触）を発揮するものなどを容易に製作することが可能であるだけでなく、上記した第１領域や左右一対の第２領域が上記隙間によって分割されているとしても、それらの各領域が属するクッション材を連結しておくのに十分な強度や耐久性を発揮する。
【００１２】
本考案では、上記クッション材の厚さが１５〜２９ｍｍであり、上記下地シートの厚さが５〜１５ｍｍであり、上記隙間の幅が５〜１５ｍｍである、という構成を採用することが望ましい。クッション材や下地シートの厚さが厚すぎると適切な使用場所が顕著に限定され、薄すぎると、底づきし臀部や大腿部の疲労を軽減させるための着座クッションとしての用途に適さなくなったりして使用汎用性が低下する。クッション材や下地シートの厚さが上記範囲内であると、臀部や大腿部の疲労を軽減させるための汎用的な着座クッションとして好適に使用することができる。また、クッション材の第１領域及び第２領域の相互間の隙間や左右の第２領域の相互間の隙間が広すぎると、臀部や大腿部を乗せ掛ける第１領域や第２領域に十分に広いサイズを確保しにくくなり、隙間が狭すぎると、使用者の重さで当該着座クッションが曲がり変形したときに、第１領域や第２領域が属しているクッション材の変形による影響を他の領域に及びにくくするという作用が損なわれやすくなる。隙間の幅が上記範囲内であると、臀部や大腿部を乗せ掛ける第１領域や第２領域に十分に広いサイズを確保しやすく、また、第１領域や第２領域が属しているクッション材の変形による影響を他の領域に及びにくくするという作用が損なわれにくい。
【００１３】
本考案では、当該着座クッションが、上記下地シート及び上記クッション材と、これらの下地シート及びクッション材を覆う通気性を有する柔軟なカバーと、でなる、という構成を採用することが望ましい。カバーには布地、皮革、紙といった種々の素材を選択して使用することが可能であり、カバーでクッション材を覆っておくことによって、当該着座クッションの取扱性や肌触りを向上させたり、座席シートに敷いて使用するときに滑りにくくすることも容易に可能である。
【考案の効果】
【００１４】
以上説明したように、本考案に係る着座クッションによると、使用者が使用中に臀部を動かしても、その影響で大腿部に対する疲労軽減作用が損なわれるという事態が起こりにくく、これとは逆に、使用者が左側又は右側の大腿部を動かしても、その影響で臀部や反対側の大腿部に対する疲労軽減作用が損なわれるという事態が起こりにくくなり、ひいては腰痛を予防したり軽減したりするが可能になる着座クッションを提供することが可能になる。
【図面の簡単な説明】
【００１５】
【図１】本考案の実施形態に係る着座クッションの一部破断斜視図である。
【図２】下地シートに積層一体化されたクッション材の正面図である。
【図３】クッション材の側面図である。
【図４】自動車用座席シートに着座クッションを配置した状態を示した概略斜視図である。
【図５】作用説明図である。
【考案を実施するための形態】
【００１６】
図１は本考案の実施形態に係る着座クッションＡの一部破断斜視図である。同図において、１０はクッション材、４０は柔軟な下地シート、５０はカバーをそれぞれ示している。
【００１７】
図２は下地シート４０に積層一体化されたクッション材１０の正面図、図３は同クッション材１０の側面図である。
【００１８】
図２に示したように、クッション材１０は、１つの第１領域Ｚ１と左右一対の対称形状の第２領域Ｚ２，Ｚ２とを有している。第１領域Ｚ１は使用者の臀部が乗せ掛けられる領域であり、左右一対の第２領域Ｚ２，Ｚ２は使用者の左右の大腿部が各別に乗せ掛けられる領域である。また、クッション材１０は、柔軟な下地シート４０に積層一体化されていて、クッション材１０と下地シート４０とは適宜の接合手段、たとえば接着によって接合されている。
【００１９】
図１又は図２に示したように、クッション材１０の第１領域Ｚ１及び左右一対の第２領域Ｚ２，Ｚ２の相互間の第１境界部ａの全域と左右一対の第２領域Ｚ２，Ｚ２の相互間の第２境界部ｂの全域とには、クッション材１０を欠除させた箇所（欠除箇所）により形成された一定幅の隙間１２が設けられている。このため、第１領域Ｚ１が属するクッション材１０と左右一対の第２領域Ｚ２，Ｚ２が属するクッション材１０とが、下地シート４０によって連結された状態のまま、第１領域Ｚ１と第２領域Ｚ２，Ｚ２との相互間の隙間１２によって完全に分割されている。同様に、左側の第２領域Ｚ２が属するクッション材１０と右側の第２領域Ｚ２が属するクッション材１０とも、下地シート４０によって連結された状態のまま、それらの第２領域Ｚ２，Ｚ２の相互間の隙間１２によって完全に分割されている。図例において、第１境界部ａは、略円弧状を形成してその両末端がクッション材１０の後端縁に位置しているのに対し、第２境界部ｂは、略円弧状の第１境界部ａの中央に位置する始点から前方に向けて真っ直ぐに延び出てその終端がクッション材１０の前端縁に位置している。この点に関して、第１境界部ａの形状は図例に限定されるものではなく、使用者の臀部を乗せ掛けることのできる形状及びサイズの第１領域Ｚ１を形作ることのできる形状であればよく、たとえば第１境界部ａが横に延びる直線形状であっても、角張った凹入形状であってもよい。同様に、第２境界部ｂの形状も図例に限定されるものではなく、使用者の大腿部を乗せ掛けることのできる形状及びサイズの第２領域Ｚ２を形作ることのできる形状であればよく、たとえば第２境界部ｂが波形であってもよい。
【００２０】
第１領域Ｚ１や第２領域Ｚ２，Ｚ２が属するクッション材１０には、ポリエチレン発泡体やウレタン発泡体といった合成樹脂発泡体、多数の気泡を備えた樹脂シート、綿布といった柔軟性を備える素材を採用することができるけれども、この実施形態では、正反発性を備えたラテックスフォームが採用されている。ラテックスフォームの正反発性は、加えられた荷重の大きさに見合う比率だけ沈み込み、その荷重と同等の力で内側から反発するという弾力性のことである。この正反発性は、柔軟性を有する上掲した合成樹脂発泡体や綿布などの弾力性とは異なるラテックスフォームに特有の弾力性である。
【００２１】
図２に示したように、第１領域Ｚ１や第２領域Ｚ２，Ｚ２が属するクッション材１０に採用されているラテックスフォームは、その全体に亘って多数の貫通状の通口でなる凹み部２１を有していて、これらの凹み部２１によって放熱作用や放湿作用などが高められるようになっている。また、凹み部２１は、クッション材１０の柔軟性を調節することにも役立っていて、凹み部２１の数を増やしたり、凹み部２１のサイズを大きくすることによって柔軟性が高まることが判っている。この実施形態では、凹み部２１を貫通状の通口によって形成しているけれども、この点は、非貫通状の凹所によって形成しても、スリット状の通口や凹所によって形成してもよい。さらに、多数の凹み部２１に通口と凹所とを混在させておいてもよい。
【００２２】
下地シート４０は一定の柔軟性を備えている。この実施形態では、下地シート４０の柔軟度がクッション材１０の柔軟度よりも小さい。言い換えると、柔軟なクッション材１０の柔軟度よりも下地シート４０の柔軟度がさらに大きい。この実施形態では、下地シート４０にシート状のウレタンフォームが採用されている。ウレタンフォームは、第１領域Ｚ１や左右一対の第２領域Ｚ２，Ｚ２が隙間１２によって分割されているとしても、それらの各領域Ｚ１，Ｚ２，Ｚ２が属するクッション材１０…を連結しておくのに十分な強度や耐久性を発揮する。なお、下地シート４０には、ウレタンフォームの代わりに、シート状の布や皮革、紙を用いることも可能である。
【００２３】
図３に示したクッション材１０の厚さＴ１は１５〜２９ｍｍであり、下地シート４０の厚さＴ２は５〜１５ｍｍであり、図２に示した上記隙間１２の幅Ｓが５〜１５ｍｍであることが望ましい。クッション材１０や下地シート４０の厚さを適切に定めることは、当該着座クッションＡの用途を選択したり汎用性を高めたりすることに役立つ。クッション材１０や下地シート４０の厚さが厚すぎたり薄すぎたりすると、臀部や大腿部の疲労を軽減させるための着座クッションとしての用途に適さなくなったり適切な使用場所が顕著に限定されたりして使用汎用性が低下する。クッション材１０や下地シート４０の厚さが上記範囲内であると、臀部や大腿部の疲労を軽減させるための汎用的な着座クッションを提供することが可能であり、特に自動車の座席シートで汎用的に使用するのに適する。また、クッション材の第１領域Ｚ１及び第２領域Ｚ２，Ｚ２の相互間の隙間１２や左右の第２領域Ｚ２，Ｚ２の相互間の隙間１２が広すぎると、臀部や大腿部を乗せ掛ける第１領域や第２領域に十分に広いサイズを確保しにくくなり、隙間１２が狭すぎると、使用者の重さで当該着座クッションＡが曲がり変形したときに、第１領域Ｚ１や第２領域Ｚ２，Ｚ２が属しているクッション材１０の変形による影響を他の領域に及びにくくするという作用が損なわれやすくなる。上記隙間１２の幅Ｓが上記範囲内であると、臀部や大腿部を乗せ掛ける第１領域Ｚ１や第２領域Ｚ２，Ｚ２に十分に広いサイズを確保しやすく、また、第１領域Ｚ１や第２領域Ｚ２，Ｚ２が属しているクッション材１０の変形による影響を他の領域に及びにくくするという作用が損なわれにくい。
【００２４】
一方、図１に示したカバー５０は、伸縮性を備えた布生地を、クッション材１０の形状に合わせて縫製することによって形成されている。このカバー５０において、クッション材１０の上端面と左右の側面を覆う部分にはメッシュ生地５１を採用することによって通気性を高めている。カバー５０には布地のほか、皮革、紙といった種々の素材を選択して使用することが可能であり、カバー５０の素材を適切に選択することにより、当該着座クッションＡの取扱性や肌触りを向上させたり、座席シートに敷いて使用するときに滑りにくくすることも容易に可能である。
【００２５】
以上説明した着座クッションＡの使用状態及び作用を次に説明する。図４は自動車用座席シート１００に着座クッションＡを敷いた状態を示した概略斜視図、図５は作用説明図である。
【００２６】
図４のように、着座クッションＡは、座席シート１００の着座部１１０に重なり姿勢で載置される。そして、着座クッションＡを敷いた座席シート１００の着座部１１０に使用者が着座すると、図１又は図２に示した第１領域Ｚ１が属するクッション材１０に使用者の臀部が乗せ掛けられ、左右一対の第２領域Ｚ２，Ｚ２が属するクッション材１０，１０に使用者の左右の大腿部が乗せ掛けられる。
【００２７】
この着座クッションＡでは、クッション材１０の第１領域Ｚ１と左右一対の第２領域Ｚ２，Ｚ２とが分割され、クッション材１０の左側の第２領域Ｚ２と右側の第２領域Ｚ２とも分割されているために、第１領域Ｚ１が属するクッション材１０の変形による影響が左右一対の第２領域Ｚ２，Ｚ２が属するクッション材１０，１０に及びにくくなり、同様に、左側又は右側の第２領域Ｚ２が属するクッション材１０の変形による影響が反対側の第２領域Ｚ２が属するクッション材１０に及びにくくなる。たとえば、図５のように、使用者の片側（右側）の大腿部Ｆの重さによって右側の第２領域Ｚ２が属するクッション材１０が変形して正反発性を発揮したとしても、そのクッション材１０の変形による影響が他側（左側）の第２領域Ｚ２が属するクッション材１０の正反発性に及びにくい。第１領域Ｚ１と左右一対の第２領域Ｚ２，Ｚ２との関係においても同様である。したがって、着座クッションＡの使用中に使用者が臀部を動かしても、その影響で左右の大腿部に対する疲労軽減作用が損なわれるという事態が起こりにくくなり、左側又は右側の大腿部を動かしても、その影響で臀部や反対側の大腿部に対する疲労軽減作用が損なわれるという事態が起こりにくくなる。
【００２８】
ところで、自動車の座席シート１００に着座するときには、座席シート１００に使用者が横方向から乗り掛かって座ることが多く、そのときには、着座クッションＡの形状が平面視略矩形であると、着座クッションＡの前側左右のコーナ部に使用者が引掛かって乗りにくいという事態が多々起こり得る。そこで、この実施形態では、図１、図２、図４などに示したように、クッション材１０の前側左右のコーナ部のそれぞれに盗み凹所１１，１１を具備させている。こうしておくと、使用者が座席シート１００に横から乗り掛かるときに、盗み凹所１１，１１の作用によってコーナ部に引掛からなくなる。
【００２９】
本考案に係る着座クッションＡは、自動車の座席シート１００に敷いて使用することができるほか、居室のソファや椅子、公園のベンチ、列車の座席などの様々な座席シートで使用することが可能である。
【符号の説明】
【００３０】
Ａ  着座クッション
ａ  第１境界部
ｂ  第２境界部
Ｓ  隙間の幅
Ｔ１  クッション材の厚さ
Ｔ２  下地シートの厚さ
Ｚ１  第１領域
Ｚ２  第２領域
１０  クッション材
１１  盗み凹所
１２  隙間
２１  凹み部
４０  下地シート
５０  カバー
１００  座席シート
【図１】
0003221016.tif 000003
【図２】
0003221016.tif 000004
【図３】
0003221016.tif 000005
【図４】
0003221016.tif 000006
【図５】
0003221016.tif 000007